(57)【特許請求の範囲】
【請求項１】
電子機器を着脱可能な周辺機器に備わる盗難防止装置であって、
セキュリティケーブルを着脱可能な第１の孔部と、
着脱操作部と、
前記着脱操作部の操作に連動して第１の位置と第２の位置との間で変位するリンク部材と、
前記リンク部材が前記第１の位置にあるときに前記電子機器が当該周辺機器から離脱するのを規制し、前記リンク部材が前記第２の位置にあるときに前記離脱の規制を解除する係止手段とを備え、
前記リンク部材は、前記第１の孔部に前記セキュリティケーブルが装着され、当該リンク部材が前記第１の位置にあるとき，当該リンク部材が前記第２の位置へ変位するのを規制するよう前記セキュリティケーブルに当接可能な位置に変位規制手段を備え、
前記電子機器は、前記セキュリティケーブルを着脱可能な第３の孔部を備え、
前記係止手段は、前記第３の孔部に係合することで、前記電子機器が前記周辺機器から離脱するのを規制し、
前記電子機器は、前記周辺機器に載置される底面と、前記底面の両端に規定される面であって互いに対向する一対の側面とを有し、
前記第３の孔部は前記一対の側面のうちの片方に形成される、
盗難防止装置。
【請求項２】
前記周辺機器は前記電子機器と電気的および機械的に接続するコネクタを有し、
前記コネクタは、前記電子機器が前記周辺機器に装着された際に、前記電子機器の前記一対の側面のうちの他方に接続される、
請求項１に記載の盗難防止装置。
【請求項３】
前記コネクタは前記着脱操作部の操作に連動して前記周辺機器の内部を変位し、
前記着脱操作部が前記電子機器を前記周辺機器に装着する位置にある際に前記コネクタは前記電子機器に接続される位置に変位し、
前記着脱操作部が前記電子機器を前記周辺機器から離脱させる位置にある際に前記コネクタは前記電子機器との接続が解除される位置に変位する、
請求項２に記載の盗難防止装置。
【発明の詳細な説明】
【技術分野】
【０００１】
本発明は、盗難防止装置、ポートリブリケータに関する。
【背景技術】
【０００２】
従来、パーソナルコンピューター（以下、パソコンと称する）は、盗難防止を目的としたロック用の穴部（セキュリティスロット）を備えていることが多い。また、ポートリブリケータなどの拡張用の周辺機器にも、ロック用のセキュリティスロットを備えていることが多い。セキュリティスロットは、例えば特許文献１が開示している盗難防止方法に基づき、パソコンや周辺機器のロックを行うことができる穴部である。具体的には、特許文献１に開示されている防御装置１０（セキュリティケーブル）の一端側を固定物に装着し、防御装置１０の他端をセキュリティスロットに装着することで、パソコンや周辺機器のロックを行うことができる。
【先行技術文献】
【特許文献】
【０００３】
【特許文献１】特許第２６５０１４７号公報
【発明の概要】
【発明が解決しようとする課題】
【０００４】
特許文献１が開示している構成では、パソコンとポートリブリケータの両方の盗難を防止するためには、それぞれにセキュリティケーブルを装着する必要がある。したがって、セキュリティケーブルをパソコン及びポートリブリケータの所定の位置に装着し、鍵で施錠するという操作を、パソコン側のセキュリティケーブルとポートリブリケータ側のセキュリティケーブルの両方について行わなければならず、煩雑である。
【課題を解決するための手段】
【０００５】
本願に開示する盗難防止装置は、電子機器を着脱可能な周辺機器に備わる盗難防止装置であって、セキュリティケーブルを着脱可能な第１の孔部と、着脱操作部と、前記着脱操作部の操作に連動して第１の位置と第２の位置との間で変位するリンク部材と、前記リンク部材が前記第１の位置にあるときに前記電子機器の前記周辺機器からの離脱を規制し、前記リンク部材が前記第２の位置にあるときに前記離脱の規制を解除する係止手段とを備え、前記リンク部材は、前記第１の孔部に前記セキュリティケーブルが装着され、当該リンク部材が前記第１の位置にあるとき，当該リンク部材が前記第２の位置へ変位するのを規制するよう前記セキュリティケーブルに当接可能な位置に変位規制手段を備え、前記電子機器は、前記セキュリティケーブルを着脱可能な第３の孔部を備え、前記係止手段は、前記第３の孔部に係合することで、前記電子機器が前記周辺機器から離脱するのを規制し、前記電子機器は、前記周辺機器に載置される底面と、前記底面の両端に規定される面であって互いに対向する一対の側面とを有し、前記第３の孔部は前記一対の側面のうちの片方に形成されたものである。
【発明の効果】
【０００７】
本発明によれば、簡単かつ確実に電子機器及び周辺機器をセキュリティケーブルでロックすることができる。
【図面の簡単な説明】
【０００８】
【図１】実施の形態にかかるポートリブリケータの斜視図
【図２】実施の形態にかかるポートリブリケータの背面構成を示す側面図
【図３】実施の形態にかかるポートリブリケータ及びパソコンの斜視図
【図４】実施の形態にかかるポートリブリケータの分解斜視図
【図５】実施の形態にかかるポートリブリケータの内部構成を示す平面図
【図６Ａ】パソコンの左側面図
【図６Ｂ】パソコンの右側面図
【図７Ａ】図３におけるＷ−Ｗ部の断面図（ロック解除状態）
【図７Ｂ】図３におけるＷ−Ｗ部の断面図（ロック状態）
【図８Ａ】第１のセキュリティスロット近傍の要部平面図
【図８Ｂ】第１のセキュリティスロット近傍の要部平面図
【図９Ａ】第１のセキュリティスロット近傍の要部断面図
【図９Ｂ】第１のセキュリティスロット近傍の要部断面図
【図９Ｃ】第１のセキュリティスロット近傍の要部断面図
【図９Ｄ】第１のセキュリティスロット近傍の要部断面図
【図９Ｅ】第１のセキュリティスロット近傍の要部断面図
【図１０】第１のセキュリティスロット近傍の要部平面図
【発明を実施するための形態】
【０００９】
（実施の形態）
〔１．ポートリブリケータの構成〕
図１は、実施の形態にかかるポートリブリケータの斜視図である。図２は、実施の形態にかかるポートリブリケータの背面構成を示す側面図である。図３は、実施の形態にかかるポートリブリケータにノート型のパソコンを装着した状態を示す斜視図である。
【００１０】
なお、本実施の形態の説明において、「パソコンをポートリブリケータに載置」とは、パソコンをポートリブリケータの上面に載せた状態であり、パソコンをポートリブリケータから離脱可能な状態である。この載置状態は、「ロック解除状態」と記載している場合がある。「パソコンをポートリブリケータに装着」とは、パソコンをポートリブリケータから離脱できない状態である。「ロック状態」とは、パソコンをポートリブリケータに装着し、他端が固定物に固定されたセキュリティケーブルをポートリブリケータに装着した状態である。このロック状態は、「盗難防止状態」と記載している場合がある。「セキュリティケーブルを装着」とは、ポートリブリケータ等にセキュリティケーブルを固定した状態である。「セキュリティケーブルを挿入」とは、ポートリブリケータ等におけるセキュリティスロットにセキュリティケーブルを挿入した状態であり、セキュリティケーブルを離脱可能な状態である。
【００１１】
図１に示すように、ポートリブリケータ１０は、薄型の筐体で構成され、その上面１０ａの四隅またはその近傍にはそれぞれ上面１０ａから隆起した第１の隆起部１１、第２の隆起部１２、第３の隆起部１３、および第４の隆起部１４が形成されている。上面１０ａは、パソコン１００（図３参照）を載置可能な面である。図３は、上面１０ａにパソコン１００を載置した状態を示している。上面１０ａは、少なくともパソコン１００を載置可能な形状や面積を有していればよい。
【００１２】
第１の隆起部１１は、孔部１１ａ、凹部１１ｂが形成されている。第１の隆起部１１は、スライドレバー１５及びコネクタ１６を備えている。スライドレバー１５は、その一部が凹部１１ｂに露出している。スライドレバー１５は、第１の隆起部１１内においてコネクタ１６に結合している。スライドレバー１５は、矢印ＣまたはＤに示す方向へスライド可能である。コネクタ１６は、スライドレバー１５の矢印Ｃに示す方向へのスライド動作に伴って、第１の隆起部１１内に位置している収納位置から、その一部が孔部１２ａから突出した突出位置へ変位可能である。コネクタ１６は、スライドレバー１５の矢印Ｄに示す方向へのスライド動作に伴って、その一部が孔部１２ａから突出した突出位置から、第１の隆起部１１内に位置している収納位置へ変位可能である。コネクタ１６は、パソコン１００（図３参照）のポートリブリケータコネクタ１０５（後述）に電気的に接続可能な電気接点（詳細構成は不図示）を備えている。また、第１の隆起部１１における規制面１１ｃは、上面１０ａに載置されているパソコン１００の位置を規制する面である。
【００１３】
第２の隆起部１２は、第１の隆起部１１と対向する規制面１２ｂに孔部１２ａ（後述）を備えている。なお、規制面１２ｂは、上面１０ａに載置されているパソコン１００の位置を規制する面である。
【００１４】
第３の隆起部１３は、規制面１３ａ及び１３ｂを備えている。規制面１３ａ及び１３ｂは、上面１０ａに載置されているパソコン１００の位置を規制する面である。
【００１５】
第４の隆起部１４は、規制面１４ａ及び１４ｂを備えている。規制面１４ａ及び１４ｂは、上面１０ａに載置されているパソコン１００の位置を規制する面である。規制面１３ａと規制面１４ａとは対向している。規制面１３ｂと規制面１４ｂとは、同一方向を向いている。
【００１６】
図２に示すように、ポートリブリケータ１０の背面１０ｂには、端子部２０、第１のセキュリティスロット２１、および第２のセキュリティスロット２２が備わる。
【００１７】
端子部２０は、電源ポート２０ａ、ＬＡＮポート２０ｂ（LAN:Local Area Network）、デジタルディスプレイポート２０ｃ，アナログディスプレイポート２０ｄ、およびＵＳＢポート２０ｅ〜２０ｈ（USB:Universal Serial Bus）を含む。端子部２０に含まれる各ポートには、各々のポートに対応したケーブル等を接続することができる。端子部２０に含まれる各ポート及びコネクタ１６は、ポートリブリケータ１０内の配線や電気回路基板に電気的に接続されている。すなわち、パソコン１００をポートリブリケータ１０に装着してコネクタ１６とポートリブリケータコネクタ１０５（後述）とを接続し、端子部２０に含まれるポートにケーブルを接続することで、ケーブルとパソコン１００とを電気的に接続することができる。
【００１８】
第１のセキュリティスロット２１及び第２のセキュリティスロット２２は、例えば特許第２６５０１４７号公報が開示しているセキュリティケーブルを装着可能なスロットであり、略長方形の貫通孔で形成されている。第１のセキュリティスロット２１及び第２のセキュリティスロット２２の大きさや形状については、特許第２６５０１４７号公報に開示されている仕様を採用することができる。第１のセキュリティスロット２１及び第２のセキュリティスロット２２は、互いに同じ大きさ及び形状を有するため、一つのセキュリティケーブルを第１のセキュリティスロット２１及び第２のセキュリティスロット２２のうちのいずれか一方に装着することができる。もちろん、二つのセキュリティケーブルを用意し、第１のセキュリティスロット２１及び第２のセキュリティスロット２２のぞれぞれに装着することも可能であり、この場合ポートリブリケータ１０の盗難防止効果がさらに高まる。第１のセキュリティスロット２１及び第２のセキュリティスロット２２へのセキュリティケーブルの装着方法、離脱方法、ロック方法、ロック解除方法については後述するが、特許第２６５０１４７号公報にもその一例が開示されている。第１のセキュリティスロット２１及び第２のセキュリティスロット２２のうちの少なくとも一つにセキュリティケーブルを装着し、セキュリティケーブルの他端を固定物に固定することで、ポートリブリケータ１０をロック状態（盗難防止状態）にすることができる。詳細については後述するが、第１のセキュリティスロット２１は、他端が固定物に固定されたセキュリティケーブルを装着することによって、ポートリブリケータ１０及びパソコン１００（後述）をロック状態にすることができるスロットである。また、第２のセキュリティスロット２２は、他端が固定物に固定されたセキュリティケーブルを装着することによって、ポートリブリケータ１０のみをロック状態にすることができるスロットである。
【００１９】
図３に示すように、ポートリブリケータ１０の上面１０ａにパソコン１００を載置することによって、規制面１１ｃ，１２ｂ，１３ａ，１４ａが、パソコン１００のＹ軸方向の位置を規制する。また、規制面１３ｂ，１４ｂが、パソコン１００の矢印Ｚ１に示す方向の位置を規制する。また、コネクタ１６がポートリブリケータコネクタ１０５（後述）に接続し、フック部材１７（後述）がパソコン１００に備わるセキュリティスロット１０６（後述）に係合することによって、パソコン１００のＸ軸方向及びＺ軸方向の位置が規制される。
【００２０】
次に、ポートリブリケータ１０の内部構成について説明する。
【００２１】
図４は、ポートリブリケータ１０の分解斜視図である。図５は、リンクバー１９の近傍の平面図である。
【００２２】
図４に示すように、ポートリブリケータ１０は、主に筐体１、底板２、スライドレバー１５、コネクタ１６、フック部材１７、バネ１８、およびリンクバー１９を備えている。筐体１は、第１の隆起部１１、第２の隆起部１２、第３の隆起部１３、および第４の隆起部１４が一体形成されている。底板２は、筐体１に結合することで空間を形成することができる。筐体１及び底板２で形成される空間に、スライドレバー１５、コネクタ１６、フック部材１７、バネ１８、およびリンクバー１９が配置される。
【００２３】
スライドレバー１５、コネクタ１６、およびリンクバー１９は、互いに結合している。したがって、スライドレバー１５を図１に示す矢印ＣまたはＤに示す方向へスライド操作することにより、コネクタ１６及びリンクバー１９の第１の隆起部１１に対する位置が変位する。スライドレバー１５は、筐体１の内面に、図１に示す矢印ＣまたはＤに示す方向へスライド可能に支持されている（支持構造の図示は省略）。
【００２４】
リンクバー１９は、長尺状の板金で形成されている。図５に示すように、リンクバー１９は、ネジ１０ｄ〜１０ｇによって、筐体１の内面に変位可能に支持されている。具体的には、ネジ１０ｄ〜１０ｇは、それぞれリンクバー１９に形成された長孔１９ｄ〜１９ｇを挿通し、筐体１の内面に締結している。これにより、リンクバー１９は、ネジ１０ｄ〜１０ｇ及び長孔１９ｄ〜１９ｇによって案内されて、矢印ＣまたはＤに示す方向へ変位可能である。また、リンクバー１９は、長手方向の一方の端部に、スライドレバー１５が結合している。リンクバー１９の長手方向の他方の端部は、フック部材１７の近傍に位置しているか、フック部材１７に当接している。図５に示すように、リンクバー１９は、第１のセキュリティスロット２１の近傍に曲げ部１９ａが形成されている。曲げ部１９ａは、リンクバー１９において、長孔１９ｃの近傍から第１のセキュリティスロット２１側へ突出した後、長孔１９ｃの長手方向に平行にフック部材１７の方向へ曲げられた部分である。曲げ部１９ａを形成することにより、規制面１９ｂが形成される。曲げ部１９ａは、リンクバー１９において、図５に示すようにリンクバー１９が矢印Ｄに示す方向へ変位したときに第１のセキュリティスロット２１に対向し、リンクバー１９が矢印Ｃに示す方向へ変位したときに第１のセキュリティスロット２１に対向する位置からずれる位置に形成されている。曲げ部１９ａ及び規制面１９ｂの具体構成や機能については後述する。
【００２５】
フック部材１７は、筐体１の内面に、回動自在に支持されている（支持構造については後述）。フック部材１７の回動支点は、その長手方向の略中央である。フック部材は、長手方向の一方の端部には爪部１７ｃ（後述）が形成されている。フック部材１７は、長手方向の他方の端部側に、リンクバー１９の長手方向の他方の端面１９ｈが近傍配置または当接している。フック部材１７は、バネ１８によって、爪部１７ｃが第２の隆起部１２内に位置する状態に付勢されている。
【００２６】
〔２．パソコンの構成〕
図６Ａは、パソコン１００の左側面図である。図６Ｂは、パソコン１００の右側面図である。
【００２７】
パソコン１００は、第１の筐体１０１と第２の筐体１０２とを備え、それらを支軸１０３によって矢印ＡまたはＢに示す方向へ回動自在に支持しているノート型パソコンである。なお、本実施の形態では、パソコン１００は折りたたみ型のノート型パソコンとしているが、単一筐体からなる携帯型のパソコンであってもよい。また、パソコンに限らず、ＰＤＡ（PersonalDigital Assistant）、携帯型ゲーム機、携帯型医療機器などのように、少なくとも携帯型でかつポートリブリケータに装着してデータ通信や内蔵電池の充電などを行うことができる電子機器であればよい。
【００２８】
第１の筐体１０１は、中央演算処理装置（ＣＰＵ）やメモリなどが実装された電気回路基板、キーボードなどを備えている。第２の筐体１０２は、液晶ディスプレイ１０４を備えている。
【００２９】
図６Ａに示すように、第１の筐体１０１の左側面１０１ｃには、ポートリブリケータコネクタ１０５が備わる。ポートリブリケータコネクタ１０５は、ポートリブリケータ１０に備わるコネクタ１６（図１参照）に接続可能で、コネクタ１６に備わる電気接点に電気的に接続可能な電気接点を備えている。ポートリブリケータコネクタ１０５は、左側面１０１ｃにおいて、図３に示すようにパソコン１００をポートリブリケータ１０の正規の位置に装着した状態でコネクタ１６が接続可能な位置に配されている。
【００３０】
図６Ｂに示すように、第１の筐体１０１の右側面１０１ｄには、セキュリティスロット１０６が備わる。セキュリティスロット１０６は、例えば特許第２６５０１４７号公報が開示しているセキュリティケーブルを装着可能なスロットであり、略長方形の貫通孔で形成されている。セキュリティスロット１０６の大きさや形状については、特許第２６５０１４７号公報に開示されている仕様を採用することができる。セキュリティスロット１０６へのセキュリティケーブルの装着方法、離脱方法、ロック方法、ロック解除方法については、特許第２６５０１４７号公報に開示されており、本実施の形態においても同開示内容に基づいてセキュリティケーブルの着脱が可能である。セキュリティスロット１０６にセキュリティケーブルを装着し、セキュリティケーブルの他端を固定物に固定することで、パソコン１００をロック状態（盗難防止状態）にすることができる。セキュリティスロット１０６は、フック部材１７が係合可能な大きさを有する。また、セキュリティスロット１０６は、第１の筐体１０１の右側面１０１ｄにおいて、図３に示すようにパソコン１００をポートリブリケータ１０における正規の位置に装着した状態でフック部材１７を係合可能な位置に形成されている。
【００３１】
〔３．ロック動作〕
図７Ａは、ポートリブリケータ１０にパソコン１００を載置した状態を示す断面図である。図７Ｂは、ポートリブリケータ１０にパソコン１００を装着した状態を示す断面図である。図７Ａ及び図７Ｂは、図３におけるＷ−Ｗ部の断面図である。なお、図７Ａに示す状態におけるスライドレバー１５、コネクタ１６、フック部材１７、バネ１８、リンクバー１９の位置を、「ロック解除位置」と称する。また、図７Ｂに示す状態におけるスライドレバー１５、コネクタ１６、フック部材１７、バネ１８、リンクバー１９の位置を、「ロック位置」と称する。
【００３２】
パソコン１００をポートリブリケータ１０に装着する際の手順について説明する。なお、パソコン１００をポートリブリケータ１０に装着する際、端子部２０に含まれる各ポートへのケーブル接続は、完了していてもよいし、パソコン１００をポートリブリケータ１０に装着後に各ポートにケーブルを接続してもよい。また、セキュリティケーブルは、パソコン１００をポートリブリケータ１０に装着する際、第１のセキュリティスロット２１から外れていることが好ましい。また、セキュリティケーブルを第２のセキュリティスロット２２に装着する場合は、パソコン１００をポートリブリケータ１０に装着する前であっても後であっても装着可能である。
【００３３】
まず、図７Ａに示すように、スライドレバー１５を矢印Ｄに示す方向の端部に変位させる。これにより、コネクタ１６は第１の隆起部１１内に位置した状態になる。また、リンクバー１９は、ネジ１０ｃ〜１０ｇ及び長孔１９ｃ〜１９ｇによって案内されて矢印Ｄに示す方向へ変位する。また、端面１９ｈは、フック部材１７から離間している。フック部材１７は、端面１９ｈから離間することで、バネ１８によって矢印Ｄに示す方向へ付勢される。フック部材１７は、バネ１８によって矢印Ｄに示す方向へ付勢されることで、支軸１７ｂの軸周りに矢印Ｆに示す方向へ回動されて、図７Ａに示すように爪部１７ｃが第２の隆起部１２内に位置した状態になる。これにより、コネクタ１６が第１の隆起部１１から突出せず、フック部材１７が第２の隆起部１２から突出しない状態となる。
【００３４】
次に、パソコン１００をポートリブリケータ１０の上面１０ａに載置する。このとき、パソコン１００は、図１及び図３に示すように左側面１０１ｃ（図６Ａ参照）が規制面１１ｃ及び１３ａに対向し、右側面１０１ｄ（図６Ａ参照）が規制面１２ｂ及び１４ａに対向し、前面１０１ｂが規制面１３ｂ及び１４ｂに対向する位置に設置する。パソコン１００における前面１０１ｂ、左側面１０１ｃ、および右側面１０１ｄは、それぞれに対向する各規制面に当接または僅かな隙間を挟んで対向しているため、パソコン１００をポートリブリケータ１０における正規の位置に規制することができる。ここで「正規の位置」とは、コネクタ１６とポートリブリケータコネクタ１０５とを接続可能で、フック部材１７とセキュリティスロット１０６とを係合可能な、ポートリブリケータ１０におけるパソコン１００の位置である。図７Ａに示すように、パソコン１００をポートリブリケータ１０における正規の位置に配置することによって、ポートリブリケータコネクタ１０５と孔部１１ａとが対向し、セキュリティスロット１０６と孔部１２ａとが対向する。
【００３５】
次に、図７Ｂに示すように、スライドレバー１５を図７Ａに示す位置から矢印Ｃに示す方向へ変位させる。これにより、スライドレバー１５に結合しているコネクタ１６及びリンクバー１９が矢印Ｃに示す方向へ変位する。コネクタ１６は、電気接点が配されている側が孔部１１ａから突出して、ポートリブリケータコネクタ１０５に機械的に装着されるとともに、電気接点がポートリブリケータコネクタ１０５の電気接点に電気的に接続される。
【００３６】
また、リンクバー１９が矢印Ｃに示す方向へ変位することにより、リンクバー１９の端面１９ｈがフック部材１７の側面１７ａに当接して、リンクバー１９がフック部材１７を押圧する。フック部材１７は、リンクバー１９によって矢印Ｃに示す方向へ押圧されることにより、支軸１７ｂの軸周りに矢印Ｅに示す方向へ回動する。フック部材１７が矢印Ｅに示す方向へ回動することにより、爪部１７ｃは、孔部１２ａから突出し、セキュリティスロット１０６に係合する。
【００３７】
これにより、パソコン１００とポートリブリケータ１０とを電気的に接続した状態にすることができる。また、コネクタ１６とポートリブリケータコネクタ１０５とを機械的に結合し、フック部材１７をセキュリティスロット１０６に係合させることにより、パソコン１００をポートリブリケータ１０から矢印Ｋに示す方向へ離脱するのを規制することができる。
【００３８】
図８Ａは、ポートリブリケータ１０が図７Ａに示す状態のときの第１のセキュリティスロット２１近傍の要部断面図である。図８Ｂは、ポートリブリケータ１０が図７Ｂに示す状態のときの第１のセキュリティスロット２１近傍の要部断面図である。
【００３９】
図８Ａに示すように、リンクバー１９がロック解除位置にある時、曲げ部１９ａは、第１のセキュリティスロット２１に対向する位置にある。本実施の形態では、図８Ａに示す状態における曲げ部１９ａと第１のセキュリティスロット２１との隙間は僅かであるため、セキュリティケーブルを装着することができない。つまり、図８Ａに示す状態で第１のセキュリティスロット２１にセキュリティケーブルを装着しようとしても、セキュリティケーブルのヘッド部（後述）が曲げ部１９ａに当接し、第１のセキュリティスロット２１への挿入ができない。
【００４０】
図８Ｂに示すように、リンクバー１９がロック位置にある時、曲げ部１９ａは、第１のセキュリティスロット２１に対向する位置から矢印Ｃに示す方向へ変位した位置にあるため、第１のセキュリティスロット２１にセキュリティケーブルを装着可能である。このとき、規制面１９ｂは、第１のセキュリティスロット２１の近傍に位置している。
【００４１】
次に、第１のセキュリティスロット２１にセキュリティケーブルを装着する。具体的な装着方法は図９Ａ〜図９Ｅに示す。
【００４２】
図９Ａ、図９Ｂ、図９Ｄは、ポートリブリケータ１０における第１のセキュリティスロット２１近傍の断面図であり、図３におけるＶ−Ｖ部の断面である。図９Ｃは、図９Ｂにおける矢印Ｘに示す方向に見た断面図である。図９Ｅは、図９Ｄにおける矢印Ｘに示す方向に見た断面図である。図９Ａは、セキュリティケーブルを第１のセキュリティスロット２１に装着する前の状態を示す。図９Ｂ及び図９Ｃは、セキュリティケーブルを第１のセキュリティスロット２１に挿入した状態を示す。図９Ｄ及び図９Ｅは、セキュリティケーブルを第１のセキュリティスロット２１に装着した状態を示す。
【００４３】
セキュリティケーブル３０は、本体部３１、ヘッド部３２、ケーブル部３３を備えている。本体部３１は、側面３１ａに備わる鍵穴３１ｂに挿入された鍵４０を回転させることで回転するスピンドルなど、ヘッド部３２を回転させるために必要な機構部品を内蔵している。ヘッド部３２は、側方から見た形状が略Ｔ字状である。ヘッド部３２は、図９Ｃ等に示すアングルから見たときの端面の形状が、第１のセキュリティスロット２１及び第２のセキュリティスロット３２の形状と相似形状である長方形となっている。ヘッド部３２は、第１のセキュリティスロット２１及び第２のセキュリティスロット２２に挿入可能である。ヘッド部３２は、本体部３１の側面３１ａに備わる鍵穴３１ｂに鍵４０を挿入し、鍵４０を例えば図９Ｃに示す矢印Ｇに示す方向へ回転させることによって、自身が回転する。ケーブル部３３は、その一方の端部が本体部３１内の機構部品に結合している。ケーブル部３３は、その他方の端部が固定部材に固定させることが可能な構造を備えている（不図示）。
【００４４】
第１のセキュリティスロット２１にセキュリティケーブルを装着する場合、まず、図９Ａに示すように、鍵穴３１ｂに鍵４０を挿入する。次に、ヘッド部３２を第１のセキュリティスロット２１に挿入する。次に、図９Ｂ及び図９Ｃに示すように、鍵４０を矢印Ｇに示す方向へ回転させる。鍵４０の回転角は、本体部３１内の機構部品によって例えば９０度に規制されている。鍵４０を矢印Ｇに示す方向へ回転させることにより、ヘッド部３２が矢印Ｇに示す方向に９０度回転する。図９Ｄ及び図９Ｅは、ヘッド部３２が９０度回転した状態を示す。これにより、図９Ｅに示すように、ヘッド部３２の長手方向と第１のセキュリティスロット２１の長手方向とが直交した状態になり、ヘッド部３２が第１のセキュリティスロット２１から抜けない状態になる。すなわち、図９Ｄ及び図９Ｅに示す状態において、セキュリティケーブル３０を矢印Ｎに示す方向へ引き抜こうとしても、ヘッド部３２がポートリブリケータ１０の内面における第１のセキュリティスロット２１の周辺部に当接するため、セキュリティケーブル３０を矢印Ｎに示す方向へ引き抜くことができない。
【００４５】
次に、図１０に示すように、鍵穴３１ｂから鍵４０を離脱する。これにより、ポートリブリケータ１０へのセキュリティケーブル４０の装着が完了する。
【００４６】
図１０に示す状態にあるヘッド部３２は、リンクバー１９の規制面１９ｂの近傍に位置している。具体的には、ヘッド部３２は、規制面１９ｂに対して矢印Ｄ側に位置している。したがって、図１０に示す状態からスライドレバー１５を矢印Ｄに示す方向へ変位させようとした場合、リンクバー１９が矢印Ｄに示す方向へ変位しようとするが、規制面１９ｂがヘッド部３２に当接してリンクバー１９の矢印Ｄに示す方向への変位が規制される。リンクバー１９の矢印Ｄに示す方向への変位が規制されることによって、図７Ｂに示すようにリンクバー１９の端面１９ｈ側がフック部材１７を矢印Ｃに示す方向へ押圧したままとなり、爪部１７ｃがセキュリティスロット１０６に係合したままとなる。また、リンクバー１９の矢印Ｄに示す方向への変位が規制されることによって、スライドレバー１５及びコネクタ１６を矢印Ｄに示す方向へ変位させることができない。よって、コネクタ１６はポートリブリケータコネクタ１０５に装着されたままとなる。このように、爪部１７ｃがセキュリティスロット１０６に係合したままで、コネクタ１６がポートリブリケータコネクタ１０５に装着されたままであるため、パソコン１００をポートリブリケータ１０から離脱することができない。
【００４７】
第１のセキュリティスロット２１からセキュリティケーブル３０を離脱することによって、リンクバー１９を図８Ｂに示すロック位置から図８Ａに示すロック解除位置へ変位させることができるようになる。リンクバー１９が図８Ａに示す位置へ変位することにより、フック部材１７とセキュリティスロット１０６との係合が外れる。また、スライドレバー１５が図８Ａに示す位置へ変位することにより、コネクタ１６とポートリブリケータコネクタ１０５との係合が外れる。したがって、パソコン１００をポートリブリケータ１０から離脱可能な状態にすることができる。
【００４８】
なお、本実施の形態では、図８Ａまたは図１０に示す状態における曲げ部１９ａと第１のセキュリティスロット２１との隙間Ｇ１と、規制面１９ｂの幅寸法Ｇ２と、ヘッド部３２の幅寸法Ｈ１とは、
Ｇ１＜Ｈ１＜（Ｇ１＋Ｇ２）
の関係を有することが好ましい。すなわち、隙間Ｇ１を大きくすると、第１のセキュリティスロット２１にヘッド部３２を装着した際に、ヘッド部３２が規制面１９ｂに当接できない場合があるため、本実施の形態のようにＧ１＜Ｈ１の関係とすることが好ましい。また、ヘッド部３２の幅寸法Ｈ１が、隙間Ｇ１と幅寸法Ｇ２との和がヘッド部３２の幅寸法Ｈ１よりも大きくすると、ヘッド部３２がリンクバー１９における規制面１９ｂ以外の部分に干渉する可能性があり、リンクバー１９のスムーズな変位を阻害してしまう可能性がある。本実施の形態のようにＨ１＜（Ｇ１＋Ｇ２）の関係とすることにより、ヘッド部３２がリンクバー１９における規制面１９ｂ以外の部分に干渉することがないため、リンクバー１９をスムーズに変位させることができる。
【００４９】
また、セキュリティケーブル３０は、第２のセキュリティスロット２２にも装着することができる。第２のセキュリティスロット２２は、第１のセキュリティスロット２１とは異なり、装着されたセキュリティケーブル３０のヘッド部３２がリンクバー１９の変位を規制する構成は備えていない。すなわち、第２のセキュリティスロット２２にセキュリティケーブル３０を装着したとしても、スライドレバー１５、コネクタ１６、フック部材１７、バネ１８、リンクバー１９は、ロック位置とロック解除位置との間を変位可能な状態となり、パソコン１００をポートリブリケータ１０に対して着脱が可能な状態となる。
【００５０】
〔４．実施の形態の効果、他〕
本実施の形態によれば、セキュリティケーブル３０を第１のセキュリティスロット２１に装着することによって、パソコン１００の盗難防止はポートリブリケータ１０に搭載されたコネクタ１６及びフック部材１７で実現でき、ポートリブリケータの盗難防止はセキュリティケーブル３０で実現できる。すなわち、コネクタ１６をポートリブリケータコネクタ１０５に装着し、フック部材１７をセキュリティスロット１０６に係合し、第１のセキュリティスロット２１にセキュリティケーブル３０を装着することによって、セキュリティケーブル３０のヘッド部３２によってリンクバー１９の変位が規制され、コネクタ１６及びフック部材１７の変位を規制することができる。したがって、パソコン１００の盗難防止とポートリブリケータ１０の盗難防止とを、１本のセキュリティケーブルで実現できるため、容易にロック状態へ移行させることができる。
【００５１】
また、パソコン１００の盗難防止とポートリブリケータ１０の盗難防止とを１本のセキュリティケーブル３０で実現できるため、セキュリティケーブル３０の施錠及び解錠を行うための鍵４０が１個で済み、鍵４０の管理が容易になる。これに対して、パソコンとポートリブリケータのそれぞれにセキュリティケーブルを接続する構成では、セキュリティケーブルが２本必要となり、鍵も２個となる。したがって、鍵の管理が煩雑になる。
【００５２】
また、ポートリブリケータ１０にセキュリティケーブル３０を装着した状態では、パソコン１００がポートリブリケータ１０から離脱できない構成となっているため、不用意にポートリブリケータコネクタ１０５がコネクタ１６から離脱してしまうことを防止することができる。例えば、パソコンとポートリブリケータのそれぞれにセキュリティケーブルを装着することで両方のロックが可能な構成では、パソコン及びポートリブリケータのいずれか一方のみにセキュリティケーブルを装着していると、パソコンのポートリブリケータコネクタとポートリブリケータのコネクタとが不用意に外れてしまうことがある。パソコンのポートリブリケータコネクタとポートリブリケータのコネクタとの間でデータ通信を行っているときに両者が外れてしまうと、通信中のデータが壊れてしまう可能性がある。本実施の形態では、ポートリブリケータ１０にパソコン１００を装着し、ポートリブリケータ１０にセキュリティケーブル３０を装着することで、パソコン１００がポートリブリケータ１０から離脱できない状態になる。したがって、パソコン１００のポートリブリケータコネクタ１０５とポートリブリケータ１０のコネクタ１６とが不用意に外れてしまうことがなく、通信中のデータ破損も生じない。
【００５３】
また、セキュリティケーブル３０を第２のセキュリティスロット２２に装着することによって、ポートリブリケータ１０のみ盗難防止状態にすることができる。これにより、ユーザーにおいてはスライドレバー２１をスライド操作するだけで、パソコン１００をポートリブリケータ１０から容易に取り外しまたはポートリブリケータ１０に容易に装着できる。したがって、パソコン１００を頻繁にポートリブリケータ１０に対して着脱しなければならない状況において、迅速かつ容易にパソコン１００をポートリブリケータ１０に対して着脱できるため、使い勝手を向上することができる。
【００５４】
また、第１のセキュリティスロット２１に装着されたセキュリティケーブル３０によってリンクバー１９の変位を規制する手段として、板金で形成されたリンクバー１９の一部を曲げて形成した曲げ部１９ａを備えた。このような構成とすることにより、リンクバー１９の変位を規制する手段を作製する際、工数が少なくて済むとともに、高い加工精度が求められないため簡単に製造することができる。例えば、特開平１０−１７１５５２号公報などに開示されているように、セキュリティケーブルのヘッド部が嵌合可能な孔をリンクバーに備える構成もあるが、このような構成では孔の寸法や位置に高い精度が求められる。つまり、孔の寸法は、少なくともセキュリティケーブルのヘッド部が嵌合可能な大きさを有する必要があるが、ヘッド部の外形寸法と孔の寸法とに差があまりなければ、ヘッド部とリンクバーとの相対位置がずれているとヘッド部を孔に嵌合できない場合がある。ヘッド部とリンクバーとの相対位置が多少ずれていたとしても嵌合できるようにするためには、孔の寸法を大きくすればよいが、孔の寸法を大きくするとリンクバーの剛性が低下してしまう。剛性を確保しながら大きな寸法の孔を備えるためにはリンクバーを太くする方法があるが、コストアップにつながってしまうとともに、ポートリブリケータが大型化してしまう。また、リンクバーにおける孔の位置精度を高くしないと、ヘッド部を確実に孔に嵌合させることができない場合がある。これに対して本実施の形態のようにリンクバー１９の一部を曲げて曲げ部１９ａ及び規制面１９ｂを設ける構成では、ヘッド部３２の外形寸法にかかわらず、ある程度ラフな加工精度で形成することができる。また、曲げ部１９ａを備えることでリンクバー１９の剛性にも大きな影響を与えないため、リンクバー１９を太くするなどの対策は不要である。
【００５５】
なお、本実施の形態では、規制面１９ｂは、板金で形成されたリンクバー１９の一部を曲げて曲げ部１９ａを形成することで設ける構成としたが、他の製法を用いて形成してもよい。例えば、金型成型により曲げ部１９ａ及び規制面１９ｂに相当する形状をリンクバー１９に形成してもよい。
【００５６】
また、本実施の形態では、ポートリブリケータ１０に装着されたパソコン１００を、コネクタ１６及びフック部材１７で離脱規制する構成としたが、第１の隆起部１１にフック部材１７と同様の構成をさらに備えてもよい。このような構成とすることにより、ポートリブリケータ１０に装着されたパソコン１００が離脱方向（図７Ｂの矢印Ｋ方向）へ引っ張られたとしても、コネクタ１６及びポートリブリケータコネクタ１０５に無理な力がかかりにくく、コネクタ１６及びポートリブリケータコネクタ１０５の電気接点の変形や、接触不良を防止することができる。
【００５７】
また、本実施の形態におけるポートリブリケータは、本発明の周辺機器の一例である。本実施の形態におけるパソコン１００は、本発明の電子機器の一例である。本実施の形態におけるスライドレバー１５は、本発明の着脱操作部の一例である。本実施の形態における第１のセキュリティスロット２１は、本発明の第１の孔部の一例である。本実施の形態における第２のセキュリティスロット２２は、本発明の第２の孔部の一例である。本実施の形態におけるリンクバー１９は、本発明のリンク部材の一例である。本実施の形態におけるコネクタ１６、フック部材１７は、本発明の係止手段の一例である。本実施の形態における曲げ部１９ａ、規制面１９ｂは、本発明の変位規制手段の一例である。本実施の形態におけるセキュリティスロット１０６は、本発明の第３の孔部の一例である。
【産業上の利用可能性】
【００５８】
本願は、ポートリブリケータに有用である。
【符号の説明】
【００５９】
１０  ポートリブリケータ
１５  スライドレバー
１６  コネクタ
１７  フック部材
１９  リンクバー
１９ａ  曲げ部
１９ｂ  規制面
２１  第１のセキュリティスロット
２２  第２のセキュリティスロット
３０  セキュリティケーブル
１００  パソコン
１０５  ポートリブリケータコネクタ
１０６  セキュリティスロット
【図１】
0005406751.tif 000002
【図２】
0005406751.tif 000003
【図３】
0005406751.tif 000004
【図４】
0005406751.tif 000005
【図５】
0005406751.tif 000006
【図６Ａ】
0005406751.tif 000007
【図６Ｂ】
0005406751.tif 000008
【図７Ａ】
0005406751.tif 000009
【図７Ｂ】
0005406751.tif 000010
【図８Ａ】
0005406751.tif 000011
【図８Ｂ】
0005406751.tif 000012
【図９Ａ】
0005406751.tif 000013
【図９Ｂ】
0005406751.tif 000014
【図９Ｃ】
0005406751.tif 000015
【図９Ｄ】
0005406751.tif 000016
【図９Ｅ】
0005406751.tif 000017
【図１０】
0005406751.tif 000018